(57)【要約】【課題】汎用性に優れ、締め付け工具のソケットに固定されうるアダプター３４の提供。【解決手段】アダプター３４は、締め付け工具のソケットに挿入されうる挿入部３６と、ネジ部品を嵌め込む補助ソケット３８とを備えている。この挿入部３６は、この補助ソケット３８に連接している。この挿入部３６は、本体４０と、押圧体と、この押圧体に当接する弾性体とを備えている。この挿入部３６は、この押圧体がこの弾性体の復元力で外側に向かって押されるように構成されている。この本体４０において、その外側面４６の断面は六角形である。この押圧体は、この断面の頂点５２に相当する位置に配置されている。この押圧体の一部は、この外側面４６よりも外側に位置している。好ましくは、このアダプター３４では、上記押圧体は、球４２である。上記弾性体は、板バネである。【選択図】図１
2008168371.tif 000002
【特許請求の範囲】
【請求項１】
締め付け工具のソケットに挿入されうる挿入部と、ネジ部品を嵌め込む補助ソケットとを備えており、
この挿入部が、この補助ソケットに連接しており、
この挿入部が、本体と、押圧体と、この押圧体に当接する弾性体とを備えており、
この挿入部が、この押圧体がこの弾性体の復元力で外側に向かって押されるように構成されており、
この本体において、その外側面の断面が六角形であり、
この押圧体が、この断面の頂点に相当する位置に配置されており、
この押圧体の一部が、この外側面よりも外側に位置しているアダプター。
【請求項２】
上記押圧体が、球であり、
上記弾性体が、板バネである請求項１に記載のアダプター。
【請求項３】
上記挿入部の上面から上記補助ソケットの下面までを貫く貫通孔をさらに備えている請求項１又は２に記載のアダプター。
【請求項４】
上記補助ソケットにおいて、その内側面の断面が六角形である請求項１から３のいずれかに記載のアダプター。
【請求項５】
上記補助ソケットの内側面が、十二の凹みを備えている請求項１から３のいずれかに記載のアダプター。
【発明の詳細な説明】
【技術分野】
【０００１】
本発明は、ネジ部品の締め付けに用いられる締め付け工具のソケットに差し込まれるアダプターに関する。
【背景技術】
【０００２】
ボルト及びナットのようなネジ部品は、レンチ及びスパナのような締め付け工具を用いて締め付けられる。この締め付け工具は、ボルトのヘッド又はナットが嵌め込まれるソケットを備える。通常、このソケットの内側面の断面は六角形である。
【０００３】
その内側面の断面が十二の凹みを有するソケットを備えた締め付け工具がある。この締め付け工具では、このソケットへのナットの嵌め込みは容易である。
【０００４】
ナットのサイズは、様々である。ナットのサイズが変わると、ソケットのサイズも変えなければならない。作業者は、そのソケットのサイズが異なる複数本の締め付け工具を所持して、作業しなければならない。
【０００５】
締め付け工具のソケットにアダプターが差し込まれて、ネジ部品が締め付けられる場合がある。この場合、ナットのサイズが変わると、作業者はこのナットのサイズに適合した補助ソケットを備えるアダプターに取り替える。このアダプターが用いられることにより、作業者は１の締め付け工具と、その補助ソケットのサイズが異なる複数個のアダプターとを所持するだけでよい。このようなアダプターは、特開平８−９０４３８号公報に開示されている。
【０００６】
図７（ａ）は従来のアダプター２が示された平面図であり、図７（ｂ）はその側面図であり、図７（ｃ）はその底面図である。このアダプター２は、挿入部４と、補助ソケット６とを備えている。
【０００７】
挿入部４は、締め付け工具のソケット（図示されず）に挿入される。この挿入部４は、中実である。この挿入部４は、本体８と、押圧体としての球１０と、弾性体としての圧縮コイルバネ（図示されず）とを備えている。この本体８は、その断面が六角形である外側面１２と、この球１０及び圧縮コイルバネが収容されうる収容部（図示されず）とを備えている。
【０００８】
補助ソケット６は、筒状である。ナットは、この補助ソケット６に嵌め込まれる。この補助ソケット６は、その断面が六角形である内側面１４を備えている。この補助ソケット６に、挿入部４は連接している。
【０００９】
図８は、図７のアダプター２の使用状況が示された一部切り欠き側面図である。この図８には、アダプター２と、締め付け工具の一部としてのソケット１６とが示されている。このアダプター２の挿入部４は、このソケット１６に差し込まれている。
【００１０】
図９は、図８のIX−IX線に沿った断面図である。挿入部４の本体８には、外側面１２から内側に向かって窪んだ収容部１８が設けられている。球１０及び圧縮コイルバネ２０は、この収容部１８に収容されている。この球１０は、この外側面１２において、その断面の辺２２に相当する位置に配置されている。この圧縮コイルバネ２０は、球１０の内側に位置している。図示されているように、ソケット１６の内側面２４は球１０を内側に押し込んでいる。この押し込みにより、圧縮コイルバネ２０は圧縮される。この圧縮により、この圧縮コイルバネ２０に復元力が生じる。この復元力により、この球１０がソケット１６の内側面２４を押圧する。これにより、アダプター２の、ソケット１６からの脱落が防止される。
【特許文献１】特開平８−９０４３８号公報
【発明の開示】
【発明が解決しようとする課題】
【００１１】
前述した図７のアダプター２では、球１０を収容する収容部１８が、外側面１２の断面の辺２２に相当する位置に設けられている。このようなアダプター２が用いられて長いボルトに嵌め込まれているナットが締め付けられるとき、その上面から下面までを貫く貫通孔が、このアダプター２に設けられる。アダプター２に貫通孔が設けられると、その断面の辺２２に相当する部分においてこの挿入部４の肉厚が薄くなってしまう。押圧体を収容する収容部１８の形成が、挿入部４の剛性に影響を与えてしまう。従って、この貫通孔の口径を、ボルトのシャフトの外径に適合させることができない場合がある。
【００１２】
前述した図７のアダプター２が、その内側面の断面に１２の凹みを有するソケットに差し込まれて、ナットが締め付けられる場合がある。図１０は、図７のアダプター２が別の締め付け工具のソケット２６に差し込まれている状況が示された断面図である。図示されているように、このソケット２６はその内側面２８の断面に１２の凹み３０を備えている。これらの凹み３０の形状は、同一である。この凹み３０は、内側から外側に向かって凹んでいる。
【００１３】
前述したように、外側面１２の断面は六角形である。従って、この断面には６の頂点３２が含まれる。図１０に示されているように、これらの頂点３２はそれぞれ凹み３０に配置される。このソケット１６では、このアダプター２の押圧体としての球１０も、凹み３０に配置される。凹み３０に配置された球１０は、内側に押し込まれることはない。この場合、圧縮コイルバネ２０が圧縮されないので、この圧縮コイルバネ２０に復元力は生じない。従って、この球１０がソケット２６の内側面２８を押圧できない。このアダプター２は、このソケット２６から容易に脱落してしまう。このアダプター２は、その内側面２８の断面に１２の凹み３０を有するソケット２６に固定することはできない。このアダプター２は、汎用性に劣る。
【００１４】
本発明の目的は、汎用性に優れ、締め付け工具のソケットに固定されうるアダプターの提供にある。
【課題を解決するための手段】
【００１５】
本発明に係るアダプターは、締め付け工具のソケットに挿入されうる挿入部と、ネジ部品を嵌め込む補助ソケットとを備えている。この挿入部は、この補助ソケットに連接している。この挿入部は、本体と、押圧体と、この押圧体に当接する弾性体とを備えている。この挿入部は、この押圧体がこの弾性体の復元力で外側に向かって押されるように構成されている。この本体において、その外側面の断面は六角形である。この押圧体は、この断面の頂点に相当する位置に配置されている。この押圧体の一部は、この外側面よりも外側に位置している。
【００１６】
好ましくは、このアダプターでは、上記押圧体は、球である。上記弾性体は、板バネである。
【００１７】
好ましくは、このアダプターは、上記挿入部の上面から上記補助ソケットの下面までを貫く貫通孔をさらに備えている。
【００１８】
好ましくは、このアダプターでは、上記補助ソケットにおいて、その内側面の断面は六角形である。
【００１９】
好ましくは、このアダプターでは、上記補助ソケットの内側面は、十二の凹みを備えている。
【発明の効果】
【００２０】
このアダプターでは、外側面の断面は六角形である。押圧体は、この断面の頂点に相当する位置に配置されている。この押圧体の一部は、この外側面よりも外側に位置している。締め付け工具の、その内側面の断面が六角形であるソケットに、このアダプターが挿入される場合において、この押圧体はこの内側面の断面の頂点に相当する位置に配置される。従って、この押圧体はこの内側面に接触しつつ、内側に押し込まれる。これにより、弾性体が変形する。この変形により、この弾性体に復元力が生じる。この押圧体は、この復元力で外側に向かって押される。これにより、この押圧体はこの内側面を押圧する。このようにして、このアダプターはこの締め付け工具のソケットに固定される。
【００２１】
このアダプターがそのソケットの内側面の断面が１２の凹みを備えている別の締め付け工具に差し込まれる場合がある。この場合、押圧体はこの凹みに配置される。この押圧体はソケットの内側面に接触しつつ、内側に押し込まれる。これにより、弾性体が変形するので、この弾性体に復元力が生じる。この復元力により、この押圧体は外側に向かって押される。この押圧体は、この内側面を押圧する。このようにして、このアダプターはこの締め付け工具のソケットに固定される。このアダプターは、その内側面の断面が六角形であるソケットを備えた締め付け工具及び、その内側面の断面が１２の凹みを有するソケットを備えた別の締め付け工具に取り付けられる。このアダプターは、汎用性に優れる。
【００２２】
前述したように、その長さが長いシャフトを備えるボルトにナットがねじ込まれる場合、その上面から下面までを貫く貫通孔がアダプターに設けられる。外側面の断面の中心からこの外側面までの距離は、この断面の頂点において最大となる。アダプターに貫通孔が設けられた場合、この頂点付近において、挿入部の本体の肉厚が充分に確保されうる。このアダプターは、外側面の断面の頂点に相当する位置に押圧体を備えている。従って、このアダプターでは、その断面の辺に相当する位置に押圧体が設けられた別のアダプターに比べて、挿入部に押圧体が設けられることによる剛性低下が抑えられる。このアダプターでは、その剛性を落とすことなくボルトのサイズに適合した貫通孔が設けられる。このアダプターが用いられることにより、長いボルトに嵌め込まれたナットが確実に締め付けられる。
【発明を実施するための最良の形態】
【００２３】
以下、適宜図面が参照されつつ、好ましい実施形態に基づいて本発明が詳細に説明される。
【００２４】
図１（ａ）は本発明の一実施形態に係るアダプター３４が示された平面図であり、図１（ｂ）はその側面図であり、図１（ｃ）はその底面図である。図２は、図１（ａ）のII−II線に沿った断面図である。図３は、図１（ｂ）のIII−III線に沿った断面図である。このアダプター３４は、挿入部３６と、補助ソケット３８とを備えている。このアダプター３４は、レンチ及びスパナのような締め付け工具のソケットに差し込まれる。この締め付け工具は、ボルト及びナットのようなネジ部品を締め付ける道具である。
【００２５】
挿入部３６は、本体４０と、押圧体としての球４２と、弾性体としての板バネ４４とを備えている。この本体４０は、筒状である。この本体４０は、外側面４６と、収容部４８とを備えている。この外側面４６は、６の平面５０からなる。この外側面４６の断面は、六角形である。この収容部４８は、この断面の頂点５２に相当する位置に設けられている。この収容部４８は、外側面４６から内側に向かってこの本体４０を貫通している。なお、この挿入部３６が中実とされてもよい。
【００２６】
球４２は、収容部４８に配置されている。換言すれば、この球４２は外側面４６の断面の頂点５２に相当する位置に配置されている。この球４２の一部は、この外側面４６よりも外側に位置している。この板バネ４４は、リング状である。この板バネ４４は、本体４０の内面５４に沿って配置されている。この板バネ４４は、球４２に当接している。この板バネ４４は、力が付与されると撓み、力が除かれると復元する。図２に示されているように、この本体４０の収容部４８の開口部５６は球４２の外径よりも小さい。従って、この球４２がこの収容部４８から脱落することはない。
【００２７】
補助ソケット３８は、筒状である。この補助ソケット３８は、６の平面５８からなる内側面６０を備えている。この内側面６０の断面は、六角形である。この補助ソケット３８に、挿入部３６が連接している。なお、この補助ソケット３８が、この内側面６０の断面が１２の凹みを備えるように構成されてもよい。
【００２８】
前述したように、挿入部３６は筒状である。この挿入部３６に連接する補助ソケット３８も、筒状である。従って、このアダプター３４には、挿入部３６の上面６２から補助ソケット３８の下面６４までを貫く貫通孔６６が形成されている。
【００２９】
図４は、図１のアダプター３４の使用状況が示された一部切り欠き側面図である。この図４には、アダプター３４と、締め付け工具の一部としてのソケット１６と、ナット６８と、ボルト７０の一部とが示されている。アダプター３４の挿入部３６は、このソケット１６に挿入されている。ナット６８は、このアダプター３４の補助ソケット３８に嵌め込まれている。この補助ソケット３８の内側面６０の断面寸法と、ソケット１６の内側面２４の断面寸法とは、異なる。このナット６８は、ボルト７０のシャフト７２にねじ込まれている。図示されているように、この締め付け工具には、ソケット１６から長手方向に延在する円柱状の空間７４が形成されている。この締め付け工具は、その長さが長いシャフト７２にねじ込まれたナット６８を締め付けることができる。
【００３０】
図５は、図４のＶ−Ｖ線に沿った断面図である。この図５には、アダプター３４と、ソケット１６と、ナット６８と、ボルト７０とが示されている。図示されているように、外側面４６の断面の頂点５２は、ソケット１６の内側面２４の頂点７６に相当する位置に配置される。前述したように、球４２は外側面４６の断面の頂点５２に相当する位置に配置されている。この球４２の一部は、外側面４６よりも外側に位置している。従って、この球４２は、この内側面２４に接触しつつ、内側に押し込まれる。これにより、板バネ４４が撓む。この撓みにより、この板バネ４４に復元力が生じる。この球４２は、この復元力で外側に向かって押される。これにより、この球４２はこの内側面２４を押圧する。このようにして、このアダプター３４はこの締め付け工具のソケット１６に固定される。
【００３１】
このアダプター３４では、外側面４６の断面の中心７８からこの外側面４６までの距離は、この断面の頂点５２において最大となる。この頂点５２の付近では、挿入部３６の本体４０の肉厚が、充分に確保されうる。このアダプター３４では、その断面の辺８０に相当する位置に収容部４８が設けられた別のアダプターに比べて、収容部４８の形成による剛性低下が抑えられる。このアダプター３４では、その剛性を落とすことなくボルト７０のサイズに適合した貫通孔６６が設けられる。このアダプター３４が用いられることにより、長いボルト７０に嵌め込まれたナット６８が確実に締め付けられる。
【００３２】
このアダプター３４の使用方法は、次の通りである。まず、締め付け工具のソケット１６にアダプター３４の挿入部３６が挿入される。これにより、球４２が、板バネ４４の復元力によりソケット１６の内側面２４を押圧する。これにより、このアダプター３４がソケット１６に固定される。次に、ナット６８が補助ソケット３８に嵌め込まれる。この後、締め付け工具が水平方向に回転されて、ナット６８が締め付けられる。補助ソケット３８がナットのサイズに適合しない場合、このアダプター３４がこのナットのサイズに適合する補助ソケットを備えた別のアダプターに交換されればよい。従って、作業者は１の締め付け工具と、その補助ソケットの仕様が異なる複数個のアダプターとを所持するだけでよい。作業者はそのソケットのサイズが異なる複数本の締め付け工具を所持して、作業する必要はない。
【００３３】
図６は、図１のアダプター３４が別の締め付け工具のソケット２６に差し込まれている状況が示された断面図である。このソケット２６の内側面２８は、１２の凹み３０を備えている。これらの凹み３０の形状は、同一である。この凹み３０は、この内側面２８において内側から外側に向かって凹んでいる。
【００３４】
前述したように、このアダプター３４では、球４２は外側面４６の断面の頂点５２に相当する位置に配置されている。図示されているように、この球４２は凹み３０に配置される。この球４２の一部は外側面４６よりも外側に位置しているので、この球４２はソケット２６の内側面２８に接触しつつ、内側に押し込められる。これにより、板バネ４４が撓む。この撓みにより生じる復元力により、この球４２はこのソケット２６の内側面２８を押圧する。これにより、アダプター３４の、ソケット２６からの脱落が防止される。
【００３５】
このアダプター３４は、その内側面２４の断面が六角形であるソケット１６を備えた締め付け工具及び、その内側面２８の断面が１２の凹み３０を有するソケット２６を備えた別の締め付け工具に取り付けられる。このアダプター３４は、汎用性に優れる。
【産業上の利用可能性】
【００３６】
本発明に係るアダプターは、種々の締め付け工具に差し込みうる。
【図面の簡単な説明】
【００３７】
【図１】図１（ａ）は本発明の一実施形態に係るアダプターが示された平面図であり、図１（ｂ）はその側面図であり、図１（ｃ）はその底面図である。
【図２】図２は、図１（ａ）のII−II線に沿った断面図である。
【図３】図３は、図１（ｂ）のIII−III線に沿った断面図である。
【図４】図４は、図１のアダプターの使用状況が示された一部切り欠き側面図である。
【図５】図５は、図４のＶ−Ｖ線に沿った断面図である。
【図６】図６は、図１のアダプターが別の締め付け工具のソケットに差し込まれている状況が示された断面図である。
【図７】図７（ａ）は従来のアダプターが示された平面図であり、図７（ｂ）はその側面図であり、図７（ｃ）はその底面図である。
【図８】図８は、図７のアダプターの使用状況が示された一部切り欠き側面図である。
【図９】図９は、図８のIX−IX線に沿った断面図である。
【図１０】図１０は、図７のアダプターが別の締め付け工具のソケットに差し込まれている状況が示された断面図である。
【符号の説明】
【００３８】
２、３４・・・アダプター
４、３６・・・挿入部
６、３８・・・補助ソケット
８、４０・・・本体
１０、４２・・・球
１２、４６・・・外側面
１４、２４、２８、６０・・・内側面
１６、２６・・・ソケット
１８、４８・・・収容部
２０・・・圧縮コイルバネ
２２、８０・・・辺
３０・・・凹み
３２、５２、７６・・・頂点
４４・・・板バネ
５０、５８・・・平面
５４・・・内面
５６・・・開口部
６２・・・上面
６４・・・下面
６６・・・貫通孔
６８・・・ナット
７０・・・ボルト
７２・・・シャフト
７４・・・空間
７８・・・中心
【図１】
2008168371.tif 000003
【図２】
2008168371.tif 000004
【図３】
2008168371.tif 000005
【図４】
2008168371.tif 000006
【図５】
2008168371.tif 000007
【図６】
2008168371.tif 000008
【図７】
2008168371.tif 000009
【図８】
2008168371.tif 000010
【図９】
2008168371.tif 000011
【図１０】
2008168371.tif 000012